(57)【要約】      （修正有）【課題】表示時の発熱量が比較的小さい新型ストリーミングメディアミラー及びこれを備える自動車を提供する。【解決手段】新型ストリーミングメディアミラーは支持台、反射組立体及び発光組立体を含み、支持台は収容溝が設けられて且つ自動車の車体と接続するためのものであり、反射組立体は収容溝内に設置されている透明カバープレート２１、接着層２２及び反射偏向層２３を含み、透明カバープレート、接着層及び反射偏向層は収容溝の溝口から溝底部へ向かう方向で順に貼り合わせられ、透明カバープレートは支持台と接続され、発光組立体は収容溝内に取り付けられて、且つ反射偏向層に向かって設置され、発光組立体は偏光を発するためのものである。【選択図】図４
0003234045.tif 000002
【実用新案登録請求の範囲】
【請求項１】
新型ストリーミングメディアミラーであって、前記新型ストリーミングメディアミラーは、
収容溝が設けられて且つ自動車の車体と接続するための支持台と、
前記収容溝内に設置されている透明カバープレート、接着層及び反射偏向層を含む反射組立体であって、前記透明カバープレート、前記接着層及び前記反射偏向層は前記収容溝の溝口から溝底部へ向かう方向で順に貼り合わせられ、前記透明カバープレートは前記支持台と接続されている反射組立体と、
前記収容溝内に取り付けられて、且つ前記反射偏向層に向かって設置されている発光組立体であって、偏光を発するための発光組立体と、
を含むことを特徴とする新型ストリーミングメディアミラー。
【請求項２】
前記反射偏向層が多層ポリエステル光学膜である、
ことを特徴とする請求項１に記載の新型ストリーミングメディアミラー。
【請求項３】
前記反射偏向層の両面は何れも滑らかな面である、
ことを特徴とする請求項１に記載の新型ストリーミングメディアミラー。
【請求項４】
前記透明カバープレートはソーダ石灰強化ガラスである、
ことを特徴とする請求項１に記載の新型ストリーミングメディアミラー。
【請求項５】
前記透明カバープレートの厚さは１．７ｍｍ〜１．９ｍｍである、
ことを特徴とする請求項１に記載の新型ストリーミングメディアミラー。
【請求項６】
前記反射偏向層の前記透明カバープレートから遠く離れた側にはシルクスクリーン層が設置され、前記シルクスクリーン層は前記反射偏向層の外縁を取り囲むように設置されている、
ことを特徴とする請求項１から５の何れか一項に記載の新型ストリーミングメディアミラー。
【請求項７】
前記シルクスクリーン層の幅が６ｍｍ〜７ｍｍである、
ことを特徴とする請求項６に記載の新型ストリーミングメディアミラー。
【請求項８】
前記発光組立体はＴＦＴディスプレイを含み、前記ＴＦＴディスプレイの発光面は前記反射偏向層に向かって設置されている、
ことを特徴とする請求項１から５の何れか一項に記載の新型ストリーミングメディアミラー。
【請求項９】
前記反射組立体はさらに保護層を含み、前記保護層は前記透明カバープレートの前記反射偏向層から遠く離れた側と接着されている、
ことを特徴とする請求項１から５の何れか一項に記載の新型ストリーミングメディアミラー。
【請求項１０】
請求項１から９の何れか一項に記載の新型ストリーミングメディアミラーを含む、
ことを特徴とする自動車。
【考案の詳細な説明】
【技術分野】
【０００１】
本考案は自動車の技術分野に関し、特に新型ストリーミングメディアミラー及び自動車に関する。
【背景技術】
【０００２】
自動車技術の絶え間ない発展に伴って、自動車内のバックミラーもストリーミングメディアミラーに変わりつつあり、即ち、このストリーミングメディアミラーはストリーミングメディアディスプレイとして機能でき、ストリーミングメディアディスプレイを消した後に、普通のバックミラーに切り換えることも可能である。しかしながら、従来のストリーミングメディアミラーによれば、ガラスの透明カバープレートの表面に金属層をメッキすることで反射の効果を達成しているが、この金属層を透過してストリーミングメディアの表示を行う場合、バックライトＬＥＤに極めて高い発光強度が求められるから、比較的高い発熱量が生じてしまう。
【０００３】
上記欠点に鑑みて、新型ストリーミングメディアミラー及び自動車を提案する必要がある。
【考案の概要】
【考案が解決しようとする課題】
【０００４】
本考案の主な目的は、従来のストリーミングメディアミラーによる表示時の発熱量が高い問題を解決するための新型ストリーミングメディアミラー及び自動車を提案することにある。
【課題を解決するための手段】
【０００５】
上記目的を実現するために、本考案が提案する新型ストリーミングメディアミラーは支持台、反射組立体及び発光組立体を含み、前記支持台は収容溝が設けられて且つ自動車の車体と接続するためのものであり、前記反射組立体は前記収容溝内に設置されている透明カバープレート、接着層及び反射偏向層を含み、前記透明カバープレート、前記接着層及び前記反射偏向層は前記収容溝の溝口から溝底部へ向かう方向で順に貼り合わせられ、前記透明カバープレートは前記支持台と接続され、前記発光組立体は前記収容溝内に取り付けられて、且つ前記反射偏向層に向かって設置され、前記発光組立体は偏光を発するためのものである。
【０００６】
好ましくは、前記反射偏向層は多層ポリエステル光学膜である。
【０００７】
好ましくは、前記反射偏向層の両面は何れも滑らかな面である。
【０００８】
好ましくは、前記透明カバープレートはソーダ石灰強化ガラスである。
【０００９】
好ましくは、前記透明カバープレートの厚さは１．７ｍｍ〜１．９ｍｍである。
【００１０】
好ましくは、前記反射偏向層の前記透明カバープレートから遠く離れた側にはシルクスクリーン層が設置され、前記シルクスクリーン層は前記反射偏向層の外縁を取り囲むように設置されている。
【００１１】
好ましくは、前記シルクスクリーン層の幅は６ｍｍ〜７ｍｍである。
【００１２】
好ましくは、前記発光組立体はＴＦＴディスプレイを含み、前記ＴＦＴディスプレイの発光面は前記反射偏向層に向かって設置されている。
【００１３】
好ましくは、前記反射組立体はさらに保護層を含み、前記保護層は前記透明カバープレートの前記反射偏向層から遠く離れた側と接着されている。
【００１４】
好ましくは、自動車は上記のような新型ストリーミングメディアミラーを含む。
【００１５】
本考案の技術案において、新型ストリーミングメディアミラーは支持台、反射組立体及び発光組立体を含み、支持台には収容溝が設けられ、反射組立体は収容溝内に設置されている透明カバープレート、接着層及び反射偏向層を含むとともに、透明カバープレート、接着層及び反射偏向層は収容溝の溝口から溝底部へ向かう方向で順に貼り合わせられ、透明カバープレートは支持台と接続され、発光組立体は収容溝内に取り付けられて、且つ反射偏向層に向かって設置され、発光組立体が発光市内しない時、自然光がガラスカバープレートに入って且つ反射偏向層に反射され、発光組立体が偏光を発する時、偏光が順に反射偏向層、接着層及びガラスカバープレート層を通る。本考案の新型ストリーミングメディアミラーによれば、発光組立体と透明カバープレートとの間に反射偏向層を設置するとともに、接着層で透明カバープレートと反射偏向層を接着することで、反射組立体がミラーの機能を有すると同時に高い光透過率を有するようにして、発光組立体が比較的高い発光強度を要することなく反射組立体を透過できるようにし、表示時に発熱量が比較的小さい効果を実現する。
【図面の簡単な説明】
【００１６】
本考案の実施例及び従来技術の技術案をより明確に説明するため、以下では、実施例或いは従来技術の説明に必要とされる添付図面を簡単に説明する。下記説明における添付図面は本考案の一部の実施例に過ぎないことは明らかであって、当業者にとって、創造的な労働を行わないことを前提に、これらの添付図面に示す構造に基づいて他の添付図面を得ることができる。
【図１】本考案の一実施例の新型ストリーミングメディアミラーの構造模式図である。
【図２】本考案の一実施例の反射組立体の正面構造模式図である。
【図３】本考案の一実施例の反射組立体の側面構造模式図である。
【図４】図３のＡでの拡大模式図である。
【図５】本考案の一実施例の反射組立体の背面構造模式図である。
【考案を実施するための形態】
【００１７】
添付図面を参照して、実施例と組み合わせて本考案の目的の実現、機能特徴及び長所をさらに説明する。
以下では、本考案の実施例における添付図面と組み合わせ、本考案の実施例における技術案を明確且つ完全に説明する。説明される実施例は本考案の全ての実施例ではなく、本考案の一部の実施例に過ぎないことは、明らかである。本考案における実施例に基づいて、当業者が創造的な労働を行わないことを前提に得られた全ての他の実施例は、本考案の保護する範囲に属す。
【００１８】
本考案の実施例での全ての方向性指示（例えば上、下、左、右、前、後．．．）は、当該方向性指示はある特定の姿勢（添付図面に示す）における各部品間の相対的位置関係、移動状況等を説明するためだけに用いられ、もし当該特定の姿勢が変わる場合、当該方向性指示もそれ相当に変わることは説明しておく必要がある。
【００１９】
また、本考案の実施例において「第一」、「第二」等の説明は説明のために利用されるだけであって、その相対的重要性を提示又は暗示する、或いは提示される技術的特徴の数を暗示的に指定するように理解すべきではない。これにより、「第一」、「第二」に限定された特徴は明示的或いは暗示的に少なくとも一つの当該特徴を含んでもよい。本考案の説明では、別途明確で具体的な限定がない限り、「複数」とは少なくとも二つ、例えば二つ、三つ等を意味する。
【００２０】
本考案において、別途明確な規定や限定がない限り、術語「接続」、「固定」などは広義に理解されるべきである。例えば、「固定」は固定的な接続でもよく、取り外し可能な接続でもよく、或いは一体としてもよい；機械的な接続でもよく、電気的な接続でもよい；直接につながってもよく、中間にある媒介によって間接的につながってもよく、二つの素子内部の連通或いは二つの素子の相互作用関係であってもよい。当業者にとって、具体的な状況により上記術語の本考案における具体的な意味を理解できる。
【００２１】
また、本考案の各実施例の技術案は互いに組み合わせることができる。ただし、当業者が実現できることはその基礎である。技術案の組み合わせに矛盾が生じるか、実現できない場合には、このような技術案の組み合わせが存在せず、且つ本考案が保護を求めようとする範囲にないと理解すべきである。
【００２２】
本考案が提案する新型ストリーミングメディアミラー及び自動車は、従来のストリーミングメディアミラーによる表示時の発熱量が高い問題を解決することを目的としている。
【００２３】
図１から図４を参照し、新型ストリーミングメディアミラーは支持台１、反射組立体２及び発光組立体３を含み、支持台１は収容溝１１が設けられて且つ自動車の車体と接続するためのものであり、反射組立体２は収容溝１１内に設置されている透明カバープレート２１、接着層２２及び反射偏向層２３を含み、透明カバープレート２１、接着層２２及び反射偏向層２３は収容溝１１の溝口から溝底部へ向かう方向で順に貼り合わせられ、透明カバープレート２１は支持台１と接続され、発光組立体３は収容溝１１内に取り付けられて、且つ反射偏向層２３に向かって設置され、発光組立体３は偏光を発するためのものである。
【００２４】
本考案の新型ストリーミングメディアミラーは支持台１、反射組立体２及び発光組立体３を含み、支持台１には収容溝１１が設けられ、反射組立体２は収容溝１１内に設置されている透明カバープレート２１、接着層２２及び反射偏向層２３を含むとともに、透明カバープレート２１、接着層２２及び反射偏向層２３は収容溝１１の溝口から溝底部へ向かう方向で順に貼り合わせられ、透明カバープレート２１は支持台１と接続され、発光組立体３は収容溝１１内に取り付けられて、且つ反射偏向層２３に向かって設置され、発光組立体３が発する偏光を反射偏向層２３の透過軸の方向と一致させることができるので、偏光が反射偏向層２３を透過するのに有利である。本考案の新型ストリーミングメディアミラーによれば、発光組立体３と透明カバープレート２１との間に反射偏向層２３を設置するとともに、接着層２２で透明カバープレート２１と反射偏向層２３を接着することで、反射組立体２がミラーの機能を有すると同時に高い光透過率を有するようにして、発光組立体３が比較的高い発光強度を要することなく反射組立体２を透過できるようにし、表示時に発熱量が比較的小さい効果を実現する。また、表示時の比較的小さい発熱量により、新型ストリーミングメディアミラーのパワー消費を小さくして、新型ストリーミングメディアミラーの使用寿命を保証する。なお、本考案における接着層２２は透明光学デバイスを接着するための特殊な粘着剤であり、無色透明で光透過率が９０％以上である特性を有し、さらに発光組立体３が比較的高い発光強度を要することなく反射組立体２を透過できるようにして、エネルギー消費を小さくできるとともに、接着層２２の接着強度が優れて、且つ室温又は中温で硬化でき、反射組立体２の全体としての構造強度を向上できるだけではなく、接着にも有利であることは、説明しておく必要がある。
【００２５】
一つの実施例として、反射偏向層２３は多層ポリエステル光学膜である。反射偏向層２３の自然光反射率が４５％に達するとともに、偏光の光透過率が８０％に達するように、反射偏向層２３は多層ポリエステル光学膜とすることができる。反射偏向層２３の自然光反射率が４５％に達した場合、新型ストリーミングメディアミラーでより良く反射できるとともに、反射偏向層２３の偏光透過率が８０％に達すると、新型ストリーミングメディアミラーの発光組立体３は比較的低い発光強度で反射偏向層２３を透過して、表示効果を実現することが可能である。
【００２６】
さらに、反射偏向層２３の両面は何れも滑らかな面である。反射偏向層２３と接着層２２との接着面を滑らかな面とすることにより、反射偏向層２３と接着層２２との接着効果をより良くして、光の透過により有利にする。さらに、反射偏向層２３のもう一つの面も滑らかな面とすることにより、光がこの面をより透過しやすくする。要するに、反射偏向層２３の二つの面を全て滑らかな面とすることにより、新型ストリーミングメディアミラーの光透過率を有効に向上させることが可能である。
【００２７】
また、一つの実施例において、透明カバープレート２１の両面は何れも滑らかな面である。本実施例において、新型ストリーミングメディアミラーの表示時の光透過率を向上させるために、透明カバープレート２１の両面は何れも滑らかな面としている。
【００２８】
透明カバープレート２１はソーダ石灰強化ガラスである。本実施例において、透明カバープレート２１を壊れにくくするために、透明カバープレート２１にはソーダ石灰強化ガラスを用いる。ソーダ石灰強化ガラスは、新型ストリーミングメディアミラーの光学効果を満足し、透明カバープレート２１の反射率が４０％である場合に、光透過率が５０％に達するようにできるだけではなく、比較的良い表面硬さを有し、擦り傷を有効に防止できる。
【００２９】
さらに、様々な機能を実現するために、透明カバープレート２１の厚さは１．７ｍｍ〜１．９ｍｍである。一実施例において、透明カバープレート２１の厚さを１．８ｍｍとすることにより、透明カバープレート２１が光学的要求を満たすだけではなく、透明カバープレート２１が構造強度を有するようにして、反射組立体２を破壊されないように有効に保護することが可能である。
【００３０】
また、図３から図５を組み合わせて示すように、上記実施例において、反射偏向層２３の透明カバープレート２１から遠く離れた側にはシルクスクリーン層２３１が設置され、シルクスクリーン層２３１は反射偏向層２３の外縁を取り囲むように設置されている。本実施例において、表示及び美観の要求のために、反射偏向層２３の透明カバープレート２１から遠く離れた側にはシルクスクリーン層２３１が設置され、且つシルクスクリーン層２３１は反射偏向層２３の外縁を取り囲むように設置されているが、シルクスクリーン層２３１の具体的な形状は実際の需要によって設計できることは、説明しておく必要がある。
【００３１】
一つの実施例において、シルクスクリーン層２３１の幅は６ｍｍ〜７ｍｍである。本実施例において、シルクスクリーン層２３１の幅が６ｍｍ〜７ｍｍであることにより、反射組立体２の背面粘着剤の要求を満たせるだけではなく、新型ストリーミングメディアミラーが表示時に装飾フレームを有するようにして、美しい効果を実現できる。
【００３２】
さらに、発光組立体３はＴＦＴディスプレイを含み、ＴＦＴディスプレイの発光面は反射偏向層２３に向かって設置されている。ＴＦＴ（Ｔｈｉｎ  Ｆｉｌｍ  Ｔｒａｎｓｉｓｔｏｒ：薄膜トランジスター）ディスプレイは、即ち薄膜電界効果トランジスターディスプレイであり、輝度が良く、コントラストが高く、階層感がよく、色が鮮やかなどの長所を持つ。ＴＦＴディスプレイの発光面を反射偏向層２３に向かって設置することにより、偏光を反射偏向層２３の透過軸方向と一致させて、偏向が反射偏向層２３を透過するのにより有利にする。
【００３３】
さらに、図２から図４を組み合わせて示すように、反射組立体２はさらに保護層２４を含み、保護層２４は透明カバープレート２１の反射偏向層２３から遠く離れた側と接着されている。一実施例において、保護層２４はＰＥＴ（Ｐｏｌｙｅｔｈｙｌｅｎｅ  ｔｅｒｅｐｈｔｈａｌａｔｅ：テリレン樹脂）保護膜を用いてもよい。透明カバープレート２１を、擦られて反射及び表示効果が影響されないように保護するために、新型ストリーミングメディアミラーの使用の前に、透明カバープレート２１の反射偏向層２３から遠く離れた側に保護層２４を接着してもよい。
【００３４】
また、本考案はさらに自動車を提案する。この自動車は上記新型ストリーミングメディアミラーの全ての技術特徴を含むとともに、上記新型ストリーミングメディアミラーの全ての有益効果を有し、ここでは改めて一一説明しない。
【００３５】
以上に述べたことは本考案の好ましい実施例に過ぎず、それによって本考案の実用新案の範囲を制限するわけではない。本考案の考案構想の下で、本考案の明細書及び添付図面の内容を利用して行った等価構造変換、或いは他の関連する技術分野への直接／間接的な応用は、何れも本考案の実用新案の保護範囲に含まれる。
【符号の説明】
【００３６】
１  支持台、
１１  収容溝、
２  反射組立体、
２１  透明カバープレート、
２２  接着層、
２３  反射偏向層、
２３１  シルクスクリーン層、
２４  保護層、
３  発光組立体、
３１  ＴＦＴディスプレイ。
【図１】
0003234045.tif 000003
【図２】
0003234045.tif 000004
【図３】
0003234045.tif 000005
【図４】
0003234045.tif 000006
【図５】
0003234045.tif 000007